(57)【要約】【課題】高い耐久性を発揮するとともに、小型化を実現可能な画像読取装置を提供する。【解決手段】画像読取装置１は、第１導入口１１、第２導入口１２及び搬送ガイド２０が設けられた筐体１０と、分離ローラ４８と、搬送ローラ４１Ａ、４１Ｂ、４１Ｄ、４２Ａ〜４２Ｄと、モータＭと、第１読取部５１と、切替部材８０と、動力伝達機構６と、を備えている。モータＭは、搬送ローラ４１Ａ、４１Ｂ、４１Ｄ、４２Ａ〜４２Ｄを駆動させる。切替部材８０は、第１切替位置と第２切替位置との間で切替可能である。動力伝達機構６は、切替部材８０が第１切替位置にあるときにはモータＭの動力を分離ローラ４８に伝達する一方、切替部材８０が第２切替位置にあるときにはモータＭから分離ローラ４８への動力の伝達を遮断する。【選択図】図９
2019172397.tif 000002
【特許請求の範囲】
【請求項１】
第１媒体が挿入される第１導入口と、前記第１導入口とは異なる位置に配置され、前記第１媒体とは異なる厚さを有する第２媒体が挿入される第２導入口と、前記第１媒体と前記第２媒体とがそれぞれ案内される搬送ガイドと、が設けられた筐体と、
前記筐体内に設けられ、前記第１導入口に挿入された複数の前記第１媒体を１枚ずつ分離しつつ前記搬送ガイドに送る分離ローラと、
前記筐体内に設けられ、前記搬送ガイドに案内された前記第１媒体及び前記第２媒体を搬送する搬送ローラと、
前記筐体内に設けられ、前記搬送ローラを駆動させるモータと、
前記筐体内に設けられ、前記搬送ローラによって搬送される前記第１媒体及び前記第２媒体の第１面の画像を読み取る第１読取部と、
前記筐体内に設けられて第１切替位置と第２切替位置との間で切替可能であり、前記第１切替位置にあるときに前記第１読取部を前記第１媒体に対応する第１位置に変位させ、前記第２切替位置にあるときに前記第１読取部を前記第２媒体に対応する第２位置に変位させる切替部材と、
前記筐体内に設けられ、前記切替部材が前記第１切替位置にあるときには前記モータの動力を前記分離ローラに伝達する一方、前記切替部材が前記第２切替位置にあるときには前記モータから前記分離ローラへの動力の伝達を遮断する動力伝達機構と、
を備えていることを特徴とする画像読取装置。
【請求項２】
前記動力伝達機構は、
前記モータの動力によって第１回転方向と、前記第１回転方向とは反対の第２回転方向とに回転して前記搬送ローラを駆動させる第１ギヤと、
前記分離ローラを駆動させる第２ギヤと、
前記第１ギヤと噛み合う第３ギヤと、
前記第３ギヤと噛み合い、前記第１ギヤが前記第１回転方向に回転することにより、前記第２ギヤと噛み合う伝達位置に変位する一方、前記第１ギヤが前記第２回転方向に回転することにより、前記第２ギヤから離間する非伝達位置に変位する遊星ギヤと、
前記遊星ギヤを前記伝達位置と前記非伝達位置との間で変位可能に前記第３ギヤと前記遊星ギヤとを連結する遊星ホルダと、
前記切替部材と連動し、前記切替部材が前記第１切替位置にあるときに第３切替位置に変位し、前記切替部材が前記第２切替位置にあるときに第４切替位置に変位する規制部材と、
を有し、
前記規制部材は、前記第３切替位置にあるときには、前記遊星ギヤが前記伝達位置に変位することを許容する一方、前記第４切替位置にあるときには前記遊星ホルダと当接し、前記遊星ギヤが前記伝達位置に変位することを規制する請求項１記載の画像読取装置。
【請求項３】
前記遊星ホルダは、第１被当接部と、前記第１被当接部とは異なる位置に配置された第２被当接部と、を有し、
前記規制部材は、第１当接部と、前記第１当接部とは異なる位置に配置された第２当接部と、を有し、
前記第１当接部は、前記規制部材が前記第４切替位置にあるときに前記第１被当接部と当接して前記遊星ギヤを前記非伝達位置に維持し、
前記第２当接部は、前記規制部材が前記第４切替位置にあるときに前記第２被当接部と当接して前記遊星ギヤが前記伝達位置に変位することを規制する請求項２記載の画像読取装置。
【請求項４】
前記切替部材は、前記規制部材に摺接する摺接部を有し、
前記規制部材は、前記摺接部に摺接する被摺接部を有している請求項２又は３記載の画像読取装置。
【請求項５】
前記切替部材は、前記筐体の外部に取っ手部が露出するように設けられ、前記取っ手部の移動によって前記第１切替位置と前記第２切替位置とを切替可能な切替スイッチ部を有している請求項１乃至４のいずれか１項記載の画像読取装置。
【請求項６】
前記筐体内に設けられ、前記搬送ローラによって搬送される前記第１媒体及び前記第２媒体の第２面の画像を読み取る第２読取部を備えている請求項１乃至５のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、筐体と、分離ローラと、搬送ローラと、モータと、第１読取部と、動力伝達機構とを備えている。筐体には、第１導入口と、第２導入口と、分離ローラと、搬送ガイドとが設けられている。第１導入口には第１媒体が挿入される。第２導入口は、第１導入口とは異なる位置に配置されており、第２媒体が挿入される。第２媒体は、第１媒体とは異なる厚さを有している。搬送ガイドは、第１導入口に挿入された第１媒体と、第２導入口に挿入された第２媒体とをそれぞれ案内する。
【０００３】
分離ローラ、搬送ローラ、モータ、第１読取部及び動力伝達機構は、それぞれ筐体内に設けられている。また、筐体内には、分離パッドも設けられている。分離ローラは、分離パッドと当接している。分離ローラは、第１導入口に挿入された複数の第１媒体を１枚ずつ分離しつつ、案内ガイドに送ることが可能となっている。搬送ローラは、搬送ガイドに案内された第１媒体及び第２媒体を搬送する。モータは、搬送ローラを駆動させる。第１読取部は、搬送ローラによって搬送される第１媒体及び第２媒体の第１面の画像を読み取る。動力伝達機構は、複数の伝達ギヤによって構成されており、モータの動力を搬送ローラに伝達する。これにより、分離ローラは、搬送ローラとともに駆動する。
【０００４】
この画像読取装置では、第１媒体と第２媒体とで厚さが異なっていても、それらの第１面の画像を第１読取部が読み取ることができるため、第１媒体の厚さと第２媒体の厚さとに個別に対応する専用の装置を用意する必要がない。
【先行技術文献】
【特許文献】
【０００５】
【特許文献１】特開２００８−２８５２５９号公報
【発明の概要】
【発明が解決しようとする課題】
【０００６】
しかし、上記の画像読取装置では、動力伝達機構によって、モータの動力が常に搬送ローラに伝達されるため、第２媒体の画像の読み取りを行う際にも分離ローラが駆動する。これにより、分離ローラと分離パッドとが擦れ合うことで、分離ローラが摩耗し易くなる。また、モータには、分離ローラを常に駆動させる大きなトルク性能が必要となることから、その分、モータが大型化する。この結果、画像読取装置が大型化する。
【０００７】
本発明は、上記従来の実情に鑑みてなされたものであって、高い耐久性を発揮するとともに、小型化を実現可能な画像読取装置を提供することを目的とする。
【課題を解決するための手段】
【０００８】
本発明の画像読取装置は、第１媒体が挿入される第１導入口と、前記第１導入口とは異なる位置に配置され、前記第１媒体とは異なる厚さを有する第２媒体が挿入される第２導入口と、前記第１媒体と前記第２媒体とがそれぞれ案内される搬送ガイドと、が設けられた筐体と、
前記筐体内に設けられ、前記第１導入口に挿入された複数の前記第１媒体を１枚ずつ分離しつつ前記搬送ガイドに送る分離ローラと、
前記筐体内に設けられ、前記搬送ガイドに案内された前記第１媒体及び前記第２媒体を搬送する搬送ローラと、
前記筐体内に設けられ、前記搬送ローラを駆動させるモータと、
前記筐体内に設けられ、前記搬送ローラによって搬送される前記第１媒体及び前記第２媒体の第１面の画像を読み取る第１読取部と、
前記筐体内に設けられて第１切替位置と第２切替位置との間で切替可能であり、前記第１切替位置にあるときに前記第１読取部を前記第１媒体に対応する第１位置に変位させ、前記第２切替位置にあるときに前記第１読取部を前記第２媒体に対応する第２位置に変位させる切替部材と、
前記筐体内に設けられ、前記切替部材が前記第１切替位置にあるときには前記モータの動力を前記分離ローラに伝達する一方、前記切替部材が前記第２切替位置にあるときには前記モータから前記分離ローラへの動力の伝達を遮断する動力伝達機構と、
を備えていることを特徴とする。
【０００９】
本発明の画像読取装置では、第１媒体の第１面の画像の読み取りを行なう場合には、切替部材が第１切替位置となる。このため、動力伝達機構は、モータから分離ローラへ動力を伝達することで、分離ローラが駆動する。一方、第２媒体の第１面の画像の読み取りを行なう場合には、切替部材が第１切替位置から第２切替位置に切り替わる。このため、動力伝達機構は、モータから分離ローラへの動力の伝達を遮断する。こうして、この画像読取装置では、第２媒体の第１面の画像の読み取りを行なう場合には、分離ローラが駆動しない。このため、この画像読取装置では、分離ローラが摩耗し難い。また、この画像読取装置では、分離ローラを常に駆動させる必要がないことから、その分、モータに要求するトルク性能を小さくすることができる。これにより、モータを小型化できる。
【００１０】
したがって、本発明の画像読取装置は、高い耐久性を発揮するとともに、小型化を実現できる。
【図面の簡単な説明】
【００１１】
【図１】実施例の画像読取装置を示す斜視図である。
【図２】実施例の画像読取装置を示す模式上面図である。
【図３】図２のＡ−Ａ断面を示す模式断面図であって、第１読取部が第１位置にある状態を示す図である。
【図４】図２のＢ−Ｂ断面を示す模式断面図であって、第１読取部が第２位置にある状態を示す図である。
【図５】図２のＣ−Ｃ断面を示す模式断面図であって、規制部材が第３切替位置にあり、遊星ギヤが伝達位置にある状態の動力伝達機構等を示す図である。
【図６】切替部材と規制部材とを示す模式上面図である。図６の（Ａ）は、切替部材が第１切替位置にあり、規制部材が第３切替位置にある状態を示している。図６の（Ｂ）は、切替部材が第２切替位置にあり、規制部材が第４切替位置にある状態を示している。
【図７】切替部材が第１切替位置となり、第１読取部が第１位置に変位した状態を示す模式図である。
【図８】切替部材が第２切替位置となり、第１読取部が第２位置に変位した状態を示す模式図である。
【図９】図２のＣ−Ｃ断面を示す模式断面図であって、規制部材が第４切替位置にあり、遊星ギヤが非伝達位置にある状態の動力伝達機構等を示す図である。
【図１０】図２のＣ−Ｃ断面を示す模式断面図であって、第４切替位置にある規制部材によって、遊星ギヤが伝達位置に変位することが規制されている状態の動力伝達機構等を示す図である。
【発明を実施するための形態】
【００１２】
以下、本発明を具体化した実施例を図面を参照しつつ説明する。
【００１３】
（実施例）
図１に示すように、実施例の画像読取装置１は、本発明の画像読取装置の具体的態様の一例である。図１では、筐体１０における排出口１３が配置される側を装置の前側と規定し、排出口１３に対向した場合に左手に来る側を左側と規定する。そして、図２以降に示す前後、左右及び上下の各方向は、全て図１に対応させて表示する。以下、図１等に基づいて、画像読取装置１が備える各構成要素について説明する。
【００１４】
＜全体構成＞
図１〜図４に示すように、画像読取装置１は、筐体１０を備えている。筐体１０は、上シュート部材２５、下シュート部材２６及び下フレーム部材２７等が組み合わされ、それらが外装部材によって覆われてなる略箱状体である。筐体１０には、第１導入口１１、排出口１３、搬送ガイド２０、第２導入口１２、スタートボタン１００、スイッチバック用開口１４及びスイッチバック用ガイド２４が設けられている。
【００１５】
第１導入口１１は、筐体１０の上壁１５の後端部と、筐体１０の後壁１７の上端部との間に形成されている。第１導入口１１は、上シュート部材２５の後端部２５Ｅと下シュート部材２６の後端部２６Ｅとの間で左右方向に細長く延びる略矩形状の開口部である。図１及び図３に示すように、第１導入口１１にはシートＳＨが挿入される。シートＳＨは、例えば、用紙やＯＨＰシート等である。シートＳＨは、本発明の「第１媒体」の一例である。シートＳＨは、例えば、幅の広いものではレターサイズやＡ４サイズの用紙等であり、幅の狭いものでは葉書等である。なお、幅の狭い名刺やカード等であって用紙等と同様に薄く曲り易いものは、第１導入口１１に挿入可能なシートＳＨに含まれ得る。第１導入口１１の左右方向の長さは、最大サイズのシートＳＨの幅よりも若干大きく設定されている。
【００１６】
図１〜図４に示すように、排出口１３は、筐体１０の前壁１６における上下方向の中間部に形成されている。排出口１３は、左右方向に細長く延びる略矩形状の開口部である。図１及び図３に示すように、排出口１３からシートＳＨが排出される。排出口１３の左右方向の長さは、第１導入口１１と同様に、最大サイズのシートＳＨの幅よりも若干大きく設定されている。
【００１７】
図３及び図４に示すように、下シュート部材２６には、搬送面２６Ｇが形成されている。搬送面２６Ｇは、後端部２６Ｅから前向きに下り傾斜している。上シュート部材２５には、案内面２５Ｇが形成されている。案内面２５Ｇは、後端部２５Ｅから搬送面２６Ｇに沿うように前向きに下り傾斜している。筐体１０内における下シュート部材２６の搬送面２６Ｇよりも前方かつ下方の位置には、第２読取ホルダ５６が配置されている。第２読取ホルダ５６の上面には、略水平に延びる搬送面５６Ｇが形成されている。筐体１０内における上シュート部材２５の案内面２５Ｇよりも前方の位置には、第１読取ホルダ５５が配置されている。第１読取ホルダ５５の下面には、搬送面５６Ｇに対向しつつ略水平に延びる案内面５５Ｇが形成されている。
【００１８】
搬送ガイド２０は、第１ガイド２１及び第２ガイド２２を有している。第１ガイド２１は、下シュート部材２６の搬送面２６Ｇと、上シュート部材２５の案内面２５Ｇとを含んで構成されている。第１ガイド２１の後端は、第１導入口１１に接続している。第１導入口１１に挿入されたシートＳＨは、第１ガイド２１に案内される。第１ガイド２１は、そのシートＳＨを前向きに下り傾斜するように案内する。第２ガイド２２は、第２読取ホルダ５６の搬送面５６Ｇと、第１読取ホルダ５５の案内面５５Ｇとを含んで構成されている。第２ガイド２２の後端は、第１ガイド２１の前端に接続している。第２ガイド２２は、前向きに略水平に延びて排出口１３に至る。第２ガイド２２は、第１ガイド２１によって案内されたシートＳＨを排出口１３に向けて案内する。
【００１９】
図１及び図２に示すように、排出口１３の右部分は、第２導入口１２を兼ねている。つまり、第２導入口１２は、筐体１０の前壁１６の右部分に形成されており、第１導入口１１とは異なる位置にある。第２導入口１２にはカードＣＡが挿入される。カードＣＡは、小面積の枚葉である。カードＣＡは、例えば、名刺、キャッシュカード、会員証又は免許証等である。カードＣＡは、本発明の「第２媒体」の一例である。第２導入口１２の左右方向の長さは、カードＣＡの幅よりも若干大きく設定されている。カードＣＡは主にブラスチック製又は厚紙製であり、シートＳＨよりも厚みが大きく曲り難い。つまり、シートＳＨとカードＣＡとは厚さが異なっている。
【００２０】
例えば、国際標準化機構（ＩＳＯ）／国際電気標準会議（ＩＥＣ）による国際規格ＩＤ−１に準拠したカードＣＡの場合、短辺の長さは５３．９８ｍｍであり、長辺の長さは８５．６０ｍｍであり、厚さは０．７６ｍｍである。
【００２１】
第２導入口１２に挿入されたカードＣＡは、第２ガイド２２の右部分に案内される。第２ガイド２２の右部分は、そのカードＣＡを後向きに案内した後、前向きに案内する。
【００２２】
図１に示すスタートボタン１００は、ユーザが押下操作を行うことが可能となっている。図２及び図４に示すように、スイッチバック用開口１４は、筐体１０の後壁１７の右部分に形成されている。スイッチバック用開口１４は、第２ガイド２２を後向きに延長した位置に配置されている。スイッチバック用開口１４は、カードＣＡの幅及び厚さよりも若干大きく設定された略形状の開口部である。
【００２３】
図４に示すように、下フレーム部材２７には、搬送面２７Ｈが形成されている。搬送面２７Ｈは、第２ガイド２２の後端側からスイッチバック用開口１４まで延びている。下シュート部材２６の下面には、案内面２６Ｈが形成されている。案内面２６Ｈは、第２ガイド２２の後端側から搬送面２７Ｈに沿うようにスイッチバック用開口１４まで延びている。
【００２４】
スイッチバック用ガイド２４は、下フレーム部材２７の搬送面２７Ｈと、下シュート部材２６の案内面２６Ｈとを含んで構成されている。スイッチバック用ガイド２４は、第２ガイド２２の右部分によって後向きに案内されたカードＣＡをスイッチバック用開口１４に向けて後向きに案内する。スイッチバック用開口１４は、そのスイッチバック用ガイド２４に案内されたカードＣＡの後方の端部を筐体１０の外部に露出させる。その後、スイッチバック用ガイド２４は、そのカードＣＡを第２ガイド２２の右部分に向けて前向きに案内する。さらに、第２ガイド２２の右部分は、そのカードＣＡを排出口１３の右部分に向けて前向きに案内する。
【００２５】
図１〜図４に示すように、画像読取装置１は、供給トレイ３０を備えている。供給トレイ３０は、回動軸心Ｘ３１周りに回動可能に筐体１０に支持されている。回動軸心Ｘ３１は、第１導入口１１よりも後方、かつ上方の位置で左右方向に延びている。これにより、供給トレイ３０は、図１〜図３に示す開位置と、図４に示す閉位置との間で変位可能となっている。
【００２６】
供給トレイ３０は、図３等に示す開位置となることにより、下シュート部材２６の搬送面２６Ｇに連続するように後向きに上り傾斜し、第１導入口１１を開放する。この状態で、供給トレイ３０は、第１導入口１１に挿入されるシートＳＨを支持可能である。図１に示すように、供給トレイ３０には、２つの幅規制ガイド３４Ａ、３４Ｂがそれぞれ左右方向にスライド可能に設けられている。これらの幅規制ガイド３４Ａ、３４Ｂは、互いに接近又は離間することにより、供給トレイ３０に支持されるサイズの異なる複数種類のシートＳＨを左右から挟む。これにより、様々なサイズのシートＳＨを第１導入口１１における幅方向の中央部を基準として位置決めできる。また、供給トレイ３０は、図４に示す閉位置となることにより、筐体１０の上壁１５を上から覆う。こうして、閉位置にある供給トレイ３０は、第１導入口１１を覆う。
【００２７】
＜駆動制御＞
画像読取装置１は、図３及び図４等に示す制御部２と、図５、図９及び図１０に示すモータＭと、図２〜図４に示す搬送部４と、第１読取部５１と、第２読取部５２と、図２〜図４及び図６〜図８に示す切替部材８０と、図２〜図５、図９及び図１０に示す動力伝達機構６とを備えている。制御部２は、スタートボタン１００と、モータＭと、第１読取部５１の第１読取センサ５１Ｓと、第２読取部５２の第２読取センサ５２Ｓとに電気的に接続されている。なお、第１、２読取センサ５１Ｓ、５２Ｓについては後述する。
【００２８】
図３等に示すように、制御部２は、筐体１０内に設けられた第１収容空間２Ａ内に配置されている。第１収容空間２Ａは、筐体１０内において、下フレーム部材２７よりも下方に位置している。制御部２は、ＣＰＵ等を含む電子回路が搭載された制御基板である。制御部２は、図１に示すスタートボタン１００の押下を検出可能となっているとともに、図３等に示す切替部材８０が第１切替位置にある場合と、第２切替位置にある場合とを検出可能となっている。これにより、制御部２は、モータＭ及び第１、２読取センサ５１Ｓ、５２Ｓを制御する。なお、切替部材８０における第１切替位置及び第２切替位置については後述する。
【００２９】
図２、図５、図９及び図１０に示すように、モータＭは、筐体１０内に設けられた第２収容空間４Ａ内に配置されている。第２収容空間４Ａは、筐体１０の左側面と搬送ガイド２０との間に位置している。モータＭの配置箇所は適宜変更可能である。なお、図２、図５、図９及び図１０では、説明を容易にするため、モータＭの形状を簡略化して図示している。また、図５、図９及び図１０では、開位置にある供給トレイ３０の図示を省略している。
【００３０】
図２〜図４に示すように、搬送部４は、分離ローラ４８、分離パッド４９、３組の第１搬送ローラ対４１Ａ、４１Ｂ、４１Ｄ及び４組の第２搬送ローラ対４２Ａ、４２Ｂ、４２Ｃ、４２Ｄによって構成されている。第１搬送ローラ対４１Ａ、４１Ｂ、４１Ｄ及び４組の第２搬送ローラ対４２Ａ、４２Ｂ、４２Ｃ、４２Ｄは、本発明の「搬送ローラ」の一例である。
【００３１】
図３に示すように、分離ローラ４８は、筐体１０内に設けられており、筐体１０の図示しない内部フレームに回転可能に支持されている。分離ローラ４８の外周面の上側の一部は、下シュート部材２６の搬送面から第１ガイド２１に露出している。分離ローラ４８は、第１ガイド２１における左右方向の中央部に配置されている。図２に示すように、分離ローラ４８は、回転軸４０Ａに固定されている。
【００３２】
図３に示すように、分離パッド４９は、筐体１０内に設けられている。分離パッド４９は、上シュート部材２５の案内面２５Ｇから第１ガイド２１に露出する状態で、分離ローラ４８に向けて押圧されている。分離パッド４９は、ゴムやエラストマー等の摩擦部材からなる板状体である。
【００３３】
図２〜図４に示すように、第１搬送ローラ対４１Ａ、４１Ｂ、４１Ｄは、筐体１０内に設けられている。第１搬送ローラ対４１Ａ、４１Ｂ、４１Ｄはそれぞれ、モータＭに回転駆動される駆動ローラと、その駆動ローラに上から対向する従動ローラとからなる。第１搬送ローラ対４１Ａ、４１Ｂ、４１Ｄのそれぞれの駆動ローラは、回転軸４０Ｂに固定されている。第１搬送ローラ対４１Ａ、４１Ｂ、４１Ｄは、第２ガイド２２の後端側に配置されている。最も右側に位置する第１搬送ローラ対４１Ｄは、第２ガイド２２の右部分に配置されている。
【００３４】
第２搬送ローラ対４２Ａ、４２Ｂ、４２Ｃ、４２Ｄは、筐体１０内に設けられている。第２搬送ローラ対４２Ａ、４２Ｂ、４２Ｃ、４２Ｄはそれぞれ、モータＭに回転駆動される駆動ローラと、その駆動ローラに上から対向する従動ローラとからなる。第２搬送ローラ対４２Ａ、４２Ｂ、４２Ｃ、４２Ｄのそれぞれの駆動ローラは、回転軸４０Ｃに固定されている。第２搬送ローラ対４２Ａ、４２Ｂ、４２Ｃ、４２Ｄは、第２ガイド２２の前端側に配置されている。最も右側に位置する第２搬送ローラ対４２Ｄは、第２ガイド２２の右部分に配置されている。
【００３５】
第１読取部５１は、上述した第１読取ホルダ５５と、第１読取ホルダ５５に保持された第１読取センサ５１Ｓとを含んで構成されている。第２読取部５２は、上述した第２読取ホルダ５６と、第２読取ホルダ５６に保持された第２読取センサ５２Ｓとを含んで構成されている。第１、２読取センサ５１Ｓ、５２Ｓとしては、ＣＩＳ（Ｃｏｎｔａｃｔ  Ｉｍａｇｅ  Ｓｅｎｓｏｒ）等の周知の画像読取センサが使用される。
【００３６】
第１読取部５１は、第２ガイド２２よりも上方の位置で支持されている。第１読取部５１は、シートＳＨの上面及びカードＣＡの上面の画像を第１読取センサ５１Ｓによって読み取る。シートＳＨの上面及びカードＣＡの上面は、本発明の「第１面」の一例である。
【００３７】
第２読取部５２は、第２ガイド２２よりも下方の位置で支持されている。第２読取部５２は、シートＳＨの下面及びカードＣＡの下面の画像を第２読取センサ５２Ｓによって読み取る。シートＳＨの下面及びカードＣＡの下面は、本発明の「第２面」の一例である。
【００３８】
図３及び図４に示すように、第２読取部５２の第２読取ホルダ５６は、下フレーム部材２７に変位不能に支持されている。その一方、第１読取部５１の第１読取ホルダ５５は、図示しないフレーム部材によって上下方向に変位可能に支持されている。
【００３９】
図２〜図４等に示すように、切替部材８０は、左右方向及び前後方向に延びる略矩形状の平板部材である。切替部材８０は、筐体１０内に配置されており、第１読取部５１よりも上方に位置している。図６に示すように、切替部材８０は、図示しないフレーム部材によって、左右方向に往復移動可能に支持されている。切替部材８０は、本体部８１と、延在部８２と、摺接部８３と、切替スイッチ部９０とを有している。
【００４０】
本体部８１は、左右方向及び前後方向に延びており、切替部材８０において最も幅広に形成されている。延在部８２は、本体部８１の左端に一体形成されており、本体部８１から左方に向かって延びている。摺接部８３は、延在部８２の前面に一体形成されており、切替部材８０における左端側に位置している。摺接部８３は、延在部８２の前面を左方に向うにつれて、次第に後方に傾斜するように形成されている。
【００４１】
図６〜図８に示すように、切替スイッチ部９０は、本実施例では、本体部８１に一体成形されている。切替スイッチ部９０は、本体部８１、すなわち切替部材８０から上向きに突出する柱状体である。切替スイッチ部９０の上端部には、取っ手部９１が形成されている。
【００４２】
図１〜図３等に示すように、筐体１０の上壁１５には、略矩形状の取っ手部挿通穴１５Ｈが上下方向に貫通するように形成されている。取っ手部挿通穴１５Ｈ内には、取っ手部９１が突出している。つまり、切替スイッチ部９０は、筐体１０の外部に取っ手部９１が露出するように本体部８１に設けられている。取っ手部挿通穴１５Ｈの左右方向の長さは、取っ手部９１が左右方向に変位可能な大きさに設定されている。
【００４３】
＜第１切替位置の説明＞
図６の（Ａ）及び図７に示す切替部材８０の位置は、筐体１０内で最も右方に変位した位置である。このような切替部材８０の位置を第１切替位置とする。切替部材８０が第１切替位置にある状態では、切替スイッチ部９０の取っ手部９１は、取っ手部挿通穴１５Ｈの右部分に位置している。
【００４４】
＜第２切替位置の説明＞
一方、図６の（Ｂ）、図２及び図８に示す切替部材８０の位置は、筐体１０内で最も左方に変位した位置である。このような切替部材８０の位置を第２切替位置とする。切替部材８０が第２切替位置にある状態では、切替スイッチ部９０の取っ手部９１は、取っ手部挿通穴１５Ｈの左部分に位置している。
【００４５】
つまり、切替スイッチ部９０は、ユーザが取っ手部９１を左右方向に移動させることによって、切替部材８０を図７等に示す第１切替位置と、図８等に示す第２切替位置との間で切替可能である。そして、切替部材８０は、第１切替位置と第２切替位置とに切り替わることにより、以下に詳しく説明するように、筐体１０内において、第１読取部５１を図３に示す第１位置と、図４に示す第２位置とに切り替える。
【００４６】
＜第１位置の説明＞
図３に示すように、第１読取部５１が第１位置にある状態における第１読取ホルダ５５の案内面５５Ｇと第２読取ホルダ５６の搬送面５６Ｇとの間隔をＷ１とする。間隔Ｗ１は、シートＳＨの一般的な厚みに対応する大きさに設定されている。
【００４７】
＜第２位置の説明＞
図４に示すように、第１読取部５１が第２位置にある状態における第１読取ホルダ５５の案内面５５Ｇと第２読取ホルダ５６の搬送面５６Ｇとの間隔をＷ２とする。間隔Ｗ２は、カードＣＡの一般的な厚みに対応する大きさに設定されており、間隔Ｗ１よりも大きい。つまり、第１読取部５１は、第２位置となることにより、第１位置よりも筐体１０内で上方に位置することなる。
【００４８】
＜第１読取部を第１位置と第２位置との間で変位させる構成＞
第１読取部５１における読取センサ５１Ｓの上面と図示しないフレーム部材との間には、圧縮コイルバネ５１Ｔが設けられている。圧縮コイルバネ５１Ｔは、第１読取部５１を下向き、すなわち、第１位置に向けて付勢している。
【００４９】
図２及び図３等に示すように、第１読取ホルダ５５には、４つの伝達軸部５７が形成されている。各伝達軸部５７のうちの２つは、第１読取ホルダ５５の前面の上端部から前方に突出し、かつ左右方向において互いに離間している。各伝達軸部５７のうちの他の２つは、第１読取ホルダ５５の後面の上端部から後方に突出し、かつ左右方向において互いに離間している。
【００５０】
図２、図３、図７、図８等に示すように、切替部材８０は、４つの直動カム部８７を有している。各直動カム部８７は、第１読取ホルダ５５の各伝達軸部５７と一対一で対応する位置に配置されて、切替部材８０の下面、より詳しくは、本体部８１の下面に接続している。各直動カム部８７は、本体部８１の下面から下向きに延びた後に屈曲して左向きに延びている。
【００５１】
図７及び図８に示すように、各直動カム部８７における左向きに延びる部分の上面には、第１支持面８７Ａ、傾斜面８７Ｂ及び第２支持面８７Ｃが形成されている。第１支持面８７Ａは、略水平に延在する平坦面である。第２支持面８７Ｃは、第１支持面８７Ａに対して右方かつ上方に離間する位置で略水平に延在する平坦面である。傾斜面８７Ｂは、第１支持面８７Ａの右端と第２支持面８７Ｃの左端と接続する傾斜面である。第２支持面８７Ｃと第１支持面８７Ａとの高低差は、間隔Ｗ２−間隔Ｗ１と等しい大きさに設定されている。
【００５２】
切替部材８０が図７等に示す第１切替位置にあるときに、第１読取ホルダ５５の各伝達軸部５７は、各直動カム部８７の第１支持面８７Ａによって支持されて、上下方向において位置決めされる。図３は、切替部材８０が第１切替位置にあって、各伝達軸部５７が各直動カム部８７の第１支持面８７Ａによって支持された状態を示している。こうして、切替部材８０は、図７等に示す第１切替位置にあるときに、第１読取部５１を図３に示す第１位置に変位させる。
【００５３】
そして、切替部材８０が第１切替位置から左向きに変位を開始すると、第１読取ホルダ５５の各伝達軸部５７は、各直動カム部８７の傾斜面８７Ｂに押し上げられる。そして、切替部材８０が図８に示す第２切替位置に変位した状態になると、第１読取ホルダ５５の各伝達軸部５７は、各直動カム部８７の第２支持面８７Ｃによって支持されて、上下方向において位置決めされる。図４は、切替部材８０が第２切替位置にあって、各伝達軸部５７が各直動カム部８７の第２支持面８７Ｃによって支持された状態を示している。
【００５４】
また、切替部材８０が図８等に示す第２切替位置から右向きに変位を開始すると、第１読取ホルダ５５の各伝達軸部５７は、各直動カム部８７の傾斜面８７Ｂに当接しながら下降する。そして、切替部材８０が図７に示す第１切替位置に変位した状態になると、上述のように、第１読取部５１が第１位置となる。
【００５５】
＜動力伝達機構＞
図５、図９及び図１０に示すように、動力伝達機構６は、一対をなす第１ギヤ６１Ａ及び第１ギヤ６１Ｂと、第２ギヤ６２と、第３ギヤ６３と、第４ギヤ６４と、第５ギヤ６５と、遊星ギヤ６６と、遊星ホルダ６７と、規制部材６８とを有している。第１ギヤ６１Ａ、６１Ｂ、第２ギヤ６２、第３ギヤ６３、第４ギヤ６４、第５ギヤ６５及び遊星ギヤ６６は、第２収容空間４Ａ内に配置されている。なお、図５、図９及び図１０では、説明を容易にするため、第１ギヤ６１Ａ等の形状を簡略化して図示している。
【００５６】
第１ギヤ６１Ａは、第２収容空間４Ａ内の前方側に配置されており、モータＭと動力伝達可能に接続されている。これにより、第１ギヤ６１Ａは、回転軸心６１０周りで、図５及び図１０に示す第１回転方向Ｒ１と、図９に示す第２回転方向Ｒ２とに回転可能となっている。また、第１ギヤ６１Ａには、図２に示す回転軸４０Ｃが固定されている。
【００５７】
ここで、第１回転方向Ｒ１とは、図５、図９及び図１０の紙面において、時計方向の回転である。一方、第２回転方向Ｒ２とは、第１回転方向Ｒ１の反対方向の回転、つまり、図５、図９及び図１０の紙面において、反時計方向の回転である。
【００５８】
第１ギヤ６１Ｂは、第２収容空間４Ａ内において、第１ギヤ６１Ａよりも後方側に配置されている。第１ギヤ６１Ｂは、回転軸心６１１周りで、図５及び図１０に示す第１回転方向Ｒ１と、図９に示す第２回転方向Ｒ２とに回転可能となっている。また、第１ギヤ６１Ｂには、図２に示す回転軸４０Ｂが固定されている。
【００５９】
図５、図９及び図１０に示すように、第２ギヤ６２は、第２収容空間４Ａ内において、第１ギヤ６１Ｂよりも後方側に配置されている。第２ギヤ６２は、回転軸心６１２周りで、図９に示す第１回転方向Ｒ１と、図５及び図１０に示す第２回転方向Ｒ２とに回転可能となっている。
【００６０】
第３ギヤ６３は、第２収容空間４Ａ内において、第１ギヤ６１Ｂの上方側に配置されている。第３ギヤ６３は、第１ギヤ６１Ｂと噛み合っており、第１ギヤ６１Ｂの回転が伝達されるようになっている。これにより、第３ギヤ６３は、回転軸心６１３周りで、図９に示す第１回転方向Ｒ１と、図５及び図１０に示す第２回転方向Ｒ２とに回転可能となっている。
【００６１】
第４ギヤ６４は、第２収容空間４Ａ内において、第１ギヤ６１Ａと第１ギヤ６１Ｂとの間に配置されている。第４ギヤ６４は、第１ギヤ６１Ａと第１ギヤ６１Ｂとに噛み合っている。第４ギヤ６４は、回転軸心６１４周りで、図９に示す第１回転方向Ｒ１と、図５及び図１０に示す第２回転方向Ｒ２とに回転可能となっている。これにより、第４ギヤ６４は、第１ギヤ６１Ａの回転を第１ギヤ６１Ｂに伝達可能となっている。
【００６２】
第５ギヤ６５は、第２収容空間４Ａ内において、第２ギヤ６２の下方側に配置されている。第５ギヤ６５は、第２ギヤ６２と噛み合っており、第２ギヤ６２の回転が伝達されるようになっている。これにより、第５ギヤ６５は、回転軸心６１５周りで、図５及び図１０に示す第１回転方向Ｒ１と、図９に示す第２回転方向Ｒ２とに回転可能となっている。また、第５ギヤ６５には、図２に示す回転軸４０Ｃが固定されている。
【００６３】
図５、図９及び図１０に示すように、遊星ギヤ６６は、第２収容空間４Ａ内において、第３ギヤ６３の上方側に配置されている。遊星ギヤ６６は、第３ギヤ６３と噛み合っており、第３ギヤ６３の回転が伝達されるようになっている。これにより、遊星ギヤ６６は、回転軸心６１６周りで、図５及び図１０に示す第１回転方向Ｒ１と、図９に示す第２回転方向Ｒ２とに回転可能となっている。また、遊星ギヤ６６は、第３ギヤ６３の回転が伝達されることにより、第３ギヤ６３を公転可能となっている。これにより、遊星ギヤ６６は、図５に示す伝達位置と、図９及び図１０に示す非伝達位置とに変位可能となっている。
【００６４】
遊星ギヤ６６は、図５に示す伝達位置となることにより、第２ギヤ６２と噛み合う。これにより、遊星ギヤ６６の回転が第２ギヤ６２に伝達される。一方、遊星ギヤ６６は、図９及び図１０に示す非伝達位置となることにより、第２ギヤ６２から前方に離間する。これにより、遊星ギヤ６６の回転が第２ギヤ６２に伝達されなくなる。
【００６５】
遊星ホルダ６７は、アーム部６７Ａと、突出部６７Ｂとで構成されている。アーム部６７Ａは、前後方向に延びている。アーム部６７Ａは、遊星ギヤ６６が伝達位置と非伝達位置とに変位可能に第３ギヤ６３と遊星ギヤ６６とを連結している。突出部６７Ｂは、アーム部６７Ａの前後方向の略中央から前方に向って突出している。アーム部６７Ａの前面において、突出部６７Ｂよりも上方側は、第１被当接部６７１とされている。突出部６７Ｂの上面は、第２被当接部６７２とされている。なお、遊星ホルダ６７の形状は適宜設計可能である。
【００６６】
図２及び図６等に示すように、規制部材６８は、規制部６８Ａと、軸部６８Ｂと、連結部６８Ｃとで構成されている。規制部材６８は、筐体１０内に配置されており、前後方向に往復移動可能となっている。より詳しくは、図２及び図５等に示すように、規制部６８Ａ及び軸部６８Ｂは、第２空間４Ａ内の上方側に位置している。図２に示すように、連結部６８Ｃは、一部を第２空間４Ａの外に突出させた状態で筐体１０内に配置されている。
【００６７】
図５、図９及び図１０に示すように、規制部６８Ａは、規制部材６８の後端に位置している。規制部６８Ａは、第２空間４Ａ内を下方に延びた後、第２空間４Ａ内を後方側に延びる略クランク形状に形成されている。規制部６８Ａは、第１当接部６８１と第２当接部６８２とを有している。第１当接部６８１は、規制部６８Ａの後面に設けられている。第２当接部６８２は、規制部６８Ａの下面に設けられている。第１当接部６８１は、遊星ホルダ６７の第１被当接部６７１と当接可能となっている。第２当接部６８２は、遊星ホルダ６７の第２被当接部６７２と当接可能となっている。
【００６８】
軸部６８Ｂは、後端で規制部６８Ａの上端と一体をなしており、前方に向って延びている。図６に示すように、連結部６８Ｃは、左端で軸部６８Ｂの前端と一体をなしており、切替部材８０に向って、前方に傾斜しつつ右側に延びている。連結部６８Ｃは、被摺接部６８３を有している。被摺接部６８３は、連結部６８Ｃの後面に位置しており、切替部材８０の摺接部８３と摺接している。こうして、摺接部８３と被摺接部６８３とが摺接することにより、連結部６８Ｃを通じて、切替部材８０と規制部材６８とが連結されている。また、規制部材６８は、図示しない付勢部材によって、後向きに付勢されている。
【００６９】
そして、規制部材６８は、切替部材８０が第１切替位置と第２切替位置とに切り替ることに連動して、以下に詳しく説明するように、筐体１０内において、第３切替位置と、第４切替位置とに切り替わる。
【００７０】
＜第３切替位置の説明＞
図６の（Ａ）に示すように、切替部材８０が第１切替位置にあるときには、摺接部８３は被摺接部６８３の最も右側に位置する。これにより、規制部材６８は、付勢部材の付勢力によって後方に移動する。こうして、規制部材６８は、切替部材８０が第１切替位置にあるときには、図６の（Ａ）及び図５に示す第３切替位置となり、筐体１０内で最も後方に位置する。
【００７１】
＜第４切替位置の説明＞
切替部材８０が第１切替位置から左向きに変位を開始すると、摺接部８３は、被摺接部６８３を摺接しつつ、被摺接部６８３の左側に変位し始める。この際、切替部材８０は、摺接部８３及び被摺接部６８３を通じて、連結部６８Ｃを前方に押圧しつつ、左向きに変位する。このため、規制部材６８は、付勢部材の付勢力に抗して、徐々に前方に移動し始める。そして、図６の（Ｂ）に示すように、切替部材８０が第２切替位置にあるときには、摺接部８３は被摺接部６８３の最も左側に位置する。こうして、規制部材６８は、切替部材８０が第２切替位置にあるときには、図６の（Ｂ）、図２、図９及び図１０に示す第４切替位置となり、筐体１０内で最も前方に位置する。
【００７２】
＜シートの画像の読み取りを行う場合の動作＞
実施例の画像読取装置１によって、シートＳＨの上面及び下面の各画像の読み取りを行う場合には、ユーザは、供給トレイ３０を図１及び図３に示す開位置に変位させる。そして、上面及び下面の各画像の読み取りを行う１又は複数枚のシートＳＨを供給トレイ３０に支持させる。また、ユーザは、取っ手部９１を操作することにより、切替部材８０を第１切替位置に変位させる。これにより、図３に示すように、第１読取部５１は、第１位置となり、第１読取ホルダ５５の案内面５５Ｇと第２読取ホルダ５６の搬送面５６Ｇとが間隔Ｗ１となる。また、図５に示すように、動力伝達機構６では、規制部材６８が第３切替位置となる。この状態でユーザは、図１に示すスタートボタン１００を押下する。
【００７３】
これにより、図５に示すように、制御部２は、第１ギヤ６１Ａが第１回転方向Ｒ１に回転するようにモータＭを作動させる。動力伝達機構６では、第１ギヤ６１Ａが第１回転方向Ｒ１に回転することにより、第４ギヤ６４が第２回転方向Ｒ２に回転する。このため、第１ギヤ６１Ｂは、第１回転方向Ｒ１、つまり、第１ギヤ６１Ａと同方向に回転する。
【００７４】
また、第１ギヤ６１Ｂが第１回転方向Ｒ１に回転することにより、第３ギヤ６３が第２回転方向Ｒ２に回転する。これにより、遊星ギヤ６６は、第１回転方向Ｒ１に回転しつつ、第３ギヤ６３を公転する。これにより、遊星ギヤ６６は、第３ギヤ６３の後方側へ移動を開始することで、伝達位置に変位し始める。ここで、規制部材６８は第３切替位置にあることにより、規制部材６８、より詳細には、規制部材６８の規制部６８Ａが遊星ホルダ６７と当接することがない。これにより、規制部６８Ａは、遊星ギヤ６６が伝達位置に変位することを許容する。そして、遊星ギヤ６６は、伝達位置に変位することにより、第２ギヤ６２と噛み合う。このように、動力伝達機構６では、規制部材６８が第３切替位置に変位している状態で第１ギヤ６１Ａ、６１Ｂが第１回転方向Ｒ１に回転することにより、遊星ギヤ６６は伝達位置に変位する。
【００７５】
第２ギヤ６２は、伝達位置にある遊星ギヤ６６と噛み合うことにより、第２回転方向Ｒ２に回転する。このため、第５ギヤ６５は、第１回転方向Ｒ１に回転する。つまり、第５ギヤ６５は、第１ギヤ６１Ａ、６１Ｂと同方向に回転する。このように、動力伝達機構６では、規制部材６８が第３切替位置にあり、遊星ギヤ６６が伝達位置に変位することで、モータＭの動力が第１ギヤ６１Ａ、第４ギヤ６４、第１ギヤ６１Ｂ、第３ギヤ６３、遊星ギヤ６６を経て、第２ギヤ６２に伝達される。こうして、動力伝達機構６では、第１ギヤ６１Ａが回転軸４０Ｃを通じて、第２搬送ローラ対４２Ａ、４２Ｂ、４２Ｃ、４２Ｄの各駆動ローラを回転駆動させる。また、第１ギヤ６１Ｂが回転軸４０Ｂを通じて、第１搬送ローラ対４１Ａ、４１Ｂ、４１Ｄの各駆動ローラを回転駆動させる。そして、第２ギヤ６２は、第５ギヤ６５及び回転軸４０Ａを通じて、分離ローラ４８を回転駆動させる。
【００７６】
これにより、筐体１０内において、第１搬送ローラ対４１Ａ、４１Ｂ、４１Ｄと、第２搬送ローラ対４２Ａ、４２Ｂ、４２Ｃ、４２Ｄと、分離ローラ４８とは、シートＳＨを筐体１０内で前向きに搬送するようにそれぞれ回転駆動する。このため、分離ローラ４８は、供給トレイ３０に支持されたシートＳＨに当接しつつ回転することにより、第１導入口１１に挿入されたシートＳＨを第１ガイド２１において搬送し、第２ガイド２２に向けて送り出す。ここで、シートＳＨが複数枚である場合には、分離ローラ４８は、分離パッド４９と協働し、シートＳＨを１枚ずつに分離して第２ガイド２２に向けて送り出す。
【００７７】
そして、第１搬送ローラ対４１Ａ、４１Ｂ、４１Ｄは、第２ガイド２２に到達したシートＳＨをニップして、第１、２読取部５１、５２、さらには、第２搬送ローラ対４２Ａ、４２Ｂ、４２Ｃ、４２Ｄに向けて送り出す。これにより、シートＳＨは、第２ガイド２２によって案内されつつ、前向きで案内面５５Ｇと搬送面５６Ｇの間を通過する。この際、制御部２は、第１読取センサ５１Ｓを作動させてシートＳＨの上面の画像を読み取らせるとともに、第２読取センサ５２Ｓを作動させてシートＳＨの下面の画像を読み取らせる。ここで、第１読取部５１が第１位置にあることから、第１読取センサ５１Ｓは、シートＳＨの厚さに対応した位置にてシートＳＨの上面の画像を読み取る。
【００７８】
そして、第２搬送ローラ対４２Ａ、４２Ｂ、４２Ｃ、４２Ｄは、案内面５５Ｇと搬送面５６Ｇの間、つまり、第１読取部５１及び第２読取部５２を通過したシートＳＨをニップして、排出口１３から排出する。こうして、シートＳＨの上面及び下面の各画像の読み取りが完了する。
【００７９】
＜カードの画像の読み取りを行う場合の動作＞
実施例の画像読取装置１によって、カードＣＡの上面及び下面の各画像の読み取りを行う場合には、ユーザは、第２導入口１２にカードＣＡの一部を挿入する。また、ユーザは、取っ手部９１を操作することにより、切替部材８０を第２切替位置に変位させる。これにより、図４に示すように、第１読取部５１は、第２位置となり、案内面５５Ｇと搬送面５６Ｇとが間隔Ｗ２となる。また、図９及び図１０に示すように、動力伝達機構６では、規制部材６８が第４切替位置となる。この状態でユーザは、図１に示すスタートボタン１００を押下する。
【００８０】
これにより、図９に示すように、制御部２は、第１ギヤ６１Ａが第２回転方向Ｒ２に回転するようにモータＭを作動させる。つまり、モータＭは、シートＳＨの上面及び下面の各画像の読み取りを行う場合とは反対方向に第１ギヤ６１Ａを回転させる。動力伝達機構６では、第１ギヤ６１Ａが第２回転方向Ｒ２に回転することにより、第４ギヤ６４が第１回転方向Ｒ１に回転する。このため、第１ギヤ６１Ｂは、第２回転方向Ｒ２に回転する。
【００８１】
また、第１ギヤ６１Ｂが第２回転方向Ｒ２に回転することにより、第３ギヤ６３が第１回転方向Ｒ１に回転する。これにより、遊星ギヤ６６は、第２回転方向Ｒ２に回転しつつ、第３ギヤ６３を公転する。これにより、遊星ギヤ６６は、第３ギヤ６３の前方側に移動して非伝達位置に変位する。このように、動力伝達機構６では、遊星ギヤ６６は、第１ギヤ６１Ａ、６１Ｂが第２回転方向Ｒ２に回転することにより、非伝達位置に変位する。ここで、規制部材６８は第４切替位置にあることから、規制部材６８の規制部６８Ａでは、第１当接部６８１が遊星ホルダ６７の第１被当接部６７１と当接する。これにより、規制部材６８は、遊星ホルダ６７を通じて、遊星ギヤ６６が必要以上に第３ギヤ６３の前方側に移動することを規制することで、遊星ギヤ６６を非伝達位置で維持させる。
【００８２】
遊星ギヤ６６は、非伝達位置となることにより、第２ギヤ６２から離間し、第２ギヤ６２と噛み合わなくなる。このため、動力伝達機構６では、モータＭの動力が第２ギヤ６２に伝達されなくなる。このため、第２ギヤ６２は、第５ギヤ６５及び回転軸４０Ａを通じて、分離ローラ４８を回転駆動させることがない。つまり、動力伝達機構６では、規制部材６８が第４切替位置にあり、遊星ギヤ６６が非伝達位置となることで、モータＭから分離ローラ４８への動力の伝達を遮断する。このため、動力伝達機構６では、モータＭの動力によって、第１ギヤ６１Ａが第２搬送ローラ対４２Ａ、４２Ｂ、４２Ｃ、４２Ｄの各駆動ローラを回転駆動させるとともに、第１ギヤ６１Ｂが第１搬送ローラ対４１Ａ、４１Ｂ、４１Ｄの各駆動ローラを回転駆動させるのみとなる。
【００８３】
これにより、筐体１０内において、第１搬送ローラ対４１Ａ、４１Ｂ、４１Ｄと、第２搬送ローラ対４２Ａ、４２Ｂ、４２Ｃ、４２Ｄとは、カードＣＡを筐体１０内で後向きに搬送するようにそれぞれ回転する。このため、最も右側に位置する第２搬送ローラ対４２Ｄは、カードＣＡをニップして、最も右側に位置する第１搬送ローラ対４１Ｄに向けて送り出す。これにより、カードＣＡは、後向きで案内面５５Ｇと搬送面５６Ｇの間を通過する。そして、第１搬送ローラ対４１Ｄは、案内面５５Ｇと搬送面５６Ｇの間を通過したカードＣＡをニップして、そのカードＣＡをスイッチバック用ガイド２４に送り出す。そして、第１搬送ローラ対４１Ｄは、そのカードＣＡをニップしたまま、そのカードＣＡの後方の端部をスイッチバック用開口１４から筐体１０の外部に露出させる。
【００８４】
その後、制御部２は、モータＭの作動を一旦停止させ、再び作動させる。この際、図１０に示すように、制御部２は、第１ギヤ６１Ａが第１回転方向Ｒ１に回転するようにモータＭを作動させる。このため、動力伝達機構６では、シートＳＨの上面及び下面の各画像の読み取りを行う場合と同様に第１ギヤ６１Ａ等が駆動する。このため、遊星ギヤ６６は、第１回転方向Ｒ２に回転しつつ、第３ギヤ６３を公転することで、第３ギヤ６３の後方側に移動しようとする。ここで、規制部材６８が第４切替位置にあるため、規制部材６８の規制部６８Ａでは、第２当接部６８２が遊星ホルダ６７の第２被当接部６７２と当接する。これにより、規制部材６８は、遊星ホルダ６７を通じて、遊星ギヤ６６が第３ギヤ６３の後方側に移動することを規制する。こうして、第４切替位置にある規制部材６８は、遊星ギヤ６６が非伝達位置から伝達位置に変位することを規制する。このため、規制部材６８が第４切替位置にある際には、第１ギヤ６１Ａが第１回転方向Ｒ１に回転しても、遊星ギヤ６６は非伝達位置を維持する。このため、動力伝達機構６では、モータＭから分離ローラ４８への動力の伝達を遮断した状態を維持する。
【００８５】
こうして、図４に示すように、筐体１０内において、第１搬送ローラ対４１Ａ、４１Ｂ、４１Ｄと、第２搬送ローラ対４２Ａ、４２Ｂ、４２Ｃ、４２Ｄとは、カードＣＡを筐体１０で前向きに搬送するようにそれぞれ回転する。このため、第１搬送ローラ対４１Ｄは、スイッチバック用ガイド２４に送り出したカードＣＡを第２搬送ローラ対４２Ｄに向けて送り出す。そして、カードＣＡは、前向きで案内面５５Ｇと搬送面５６Ｇの間を通過する。この際、制御部２は、第１、２読取センサ５１Ｓ、５２Ｓを作動させてカードＣＡ上面及び下面の各画像を読み取らせる。ここで、第１読取部５１が第２位置にあることから、第１読取センサ５１Ｓは、カードＣＡの厚さに対応した位置にてカードＣＡの上面の画像を読み取る。そして、第２搬送ローラ対４２Ｄは、第１搬送ローラ対４１Ｄによって前向きに搬送されたカードＣＡをニップして、排出口１３から排出する。こうして、カードＣＡの上面及び下面の各画像の読み取りが完了する。
【００８６】
＜作用効果＞
このように、実施例の画像読取装置１では、第１読取部５１が第１位置と第２位置とに変位することにより、シートＳＨとカードＣＡとで厚さが異なっていても、これらの上面及び下面の各画像を読み取ることが可能となっている。ここで、第１読取部５１が第１位置となることで、シートＳＨに対応した位置にてシートＳＨの上面の画像を読み取ることができる。また、第１読取部５１が第２位置となることで、カードＣＡに対応した位置にてカードＣＡの上面の画像を読み取ることができる。このため、画像読取装置１では、シートＳＨやカードＣＡのそれぞれに適した搬送によって読み取ることが可能となっている。
【００８７】
そして、この画像読取装置１では、シートＳＨの上面及び下面の画像の読み取りを行なう場合には、動力伝達機構６がモータＭから分離ローラ４８へ動力を伝達することで分離ローラ４８が回転駆動する。一方、カードＣＡの上面及び下面の画像の読み取りを行なう場合には、分離ローラ４８を回転駆動させる必要がない。このため、この画像読取装置１では、カードＣＡの上面及び下面の画像の読み取りを行なう場合には、動力伝達機構６がモータＭから分離ローラ４８への動力の伝達を遮断することで分離ローラ４８が回転駆動しなくなる。このため、この画像読取装置１では、不必要に分離ローラ４８を回転駆動させる場面を少なくすることで、分離ローラ４８と分離パッド４９とが擦れ合う場面を少なくすることができる。この結果、分離ローラ４８が摩耗し難くなっている。また、この画像読取装置１では、分離ローラ４８を常に駆動させる必要がないことから、その分、モータＭに要求するトルク性能を小さくすることができる。これにより、モータＭを小型化することが可能となっている。
【００８８】
したがって、実施例の画像読取装置１は、高い耐久性を発揮するとともに、小型化を実現できる。
【００８９】
また、この画像読取装置１では、図５、図９及び図１０に示すように、動力伝達機構６が上記構成である第１〜５ギヤ６１Ａ、６１Ｂ、６２〜６５と、遊星ギヤ６６と、遊星ホルダ６７と、規制部材６８とを有している。これにより、遊星ギヤ６６を伝達位置と非伝達位置とに変位させることで、モータＭから分離ローラ４８への動力の伝達とその遮断とを好適に切り替えることが可能となっている。
【００９０】
また、規制部材６８の規制部６８Ａが第１、２当接部６８１、６８２を有している。また、遊星ホルダ６７のアーム部６７Ａが第１被当接部６７１を有しており、遊星ホルダ６７の突出部６７Ｂが第２被当接部６７２を有している。これにより、遊星ホルダ６７や規制部材６８の構成を簡素化しつつ、第４切替位置にある規制部材６８が遊星ギヤ６６を非伝達位置に好適に維持することが可能となっている。また、第４切替位置にある規制部材６８は、遊星ギヤ６６が非伝達位置から伝達位置に変位することを好適に規制することが可能となっている。
【００９１】
また、切替部材８０が摺接部８３を有しており、規制部材６８の連結部６８Ｃが被摺接部６８３を有している。このため、切替部材８０や規制部材６８の構成を簡素化しつつ、切替部材８０と規制部材６８とを好適に連結することが可能となっている。これにより、切替部材８０の第１切替位置及び第２切替位置の切替と、規制部材６８の第３切替位置及び第４切替位置の切替とを好適に連動させることが可能となっている。
【００９２】
また、この画像読取装置１では、切替スイッチ９０部の取っ手部９１を通じて、ユーザが切替部材８０を第１切替位置及び第２切替位置に容易に切り替えることが可能となっている。
【００９３】
また、この画像読取装置１では、第１読取部５１の他に第２読取部５２を備えている。これにより、第１読取部５１の第１読取センサ５１Ｓと、第２読取部５２の第２読取センサ５２Ｓとによって、シートＳＨやカードＣＡの両面の画像を一度に読み取ることが可能となっている。このため、この画像読取装置１は、利便性が高くなっている。
【００９４】
以上において、本発明を実施例に即して説明したが、本発明は上記実施例に制限されるものではなく、その趣旨を逸脱しない範囲で適宜変更して適用できることはいうまでもない。
【００９５】
例えば、画像読取装置１では、取っ手部９１を通じて、ユーザが切替部材８０を第１切替位置と第２切替位置とに切り替えている。しかし、これに限らず、シートＳＨが第１導入口１１に挿入されたことやカードＣＡが第２導入口１２に挿入されたことを検知して、切替部材８０が自動的に第１切替位置と第２切替位置とに切り替わる構成としても良い。
【００９６】
また、画像読取装置１では、第１ギヤ６１ＡがモータＭと動力伝達可能に接続されているが、これに限らず、第１ギヤ６１ＢがモータＭと動力伝達可能に接続される構成としても良い。さらに、第１ギヤは１つでも良く、３つ以上であっても良い。また、第４ギヤ６４がモータＭと動力伝達可能に接続される構成としても良い。
【００９７】
さらに、画像読取装置１では、排出口１３の右部分が第２導入口１２を兼ねているが、これに限らず、排出口１３とは別に第２導入口１２を設けても良い。
【００９８】
また、切替部材８０と規制部材６８とをリンク機構やギヤ機構等によって連結する構成としても良い。
【産業上の利用可能性】
【００９９】
本発明は例えば、画像読取装置又は複合機等に利用可能である。
【符号の説明】
【０１００】
１…画像読取装置、１１…第１導入口、１２…第２導入口
ＳＨ…第１媒体（ＳＨ…シート）、ＣＡ…第２媒体（ＣＡ…カード）
２０…搬送ガイド、１０…筐体、４８…分離ローラ
４１Ａ、４１Ｂ、４１Ｄ…搬送ローラ（４１Ａ、４１Ｂ、４１Ｄ…第１搬送ローラ対）
４２Ａ〜４２Ｄ…搬送ローラ（４２Ａ〜４２Ｄ…第２搬送ローラ対）
Ｍ…モータ、５１…第１読取部、８０…切替部材
６…動力伝達機構、６１Ａ、６１Ｂ…第１ギヤ、６２…第２ギヤ
６３…第３ギヤ、６６…遊星ギヤ、６７…遊星ホルダ
６８…規制部材、６７１…第１被当接部、６７２…第２被当接部
６８１…第１当接部、６８２…第２当接部、８３…摺接部
６８３…被摺接部、９１…取っ手部、９０…切替スイッチ部
５２…第２読取部
【図１】
2019172397.tif 000003
【図２】
2019172397.tif 000004
【図３】
2019172397.tif 000005
【図４】
2019172397.tif 000006
【図５】
2019172397.tif 000007
【図６】
2019172397.tif 000008
【図７】
2019172397.tif 000009
【図８】
2019172397.tif 000010
【図９】
2019172397.tif 000011
【図１０】
2019172397.tif 000012